(57)【特許請求の範囲】
【請求項１】
回転軸を成す支軸と、
当該支軸に中心部を貫通された状態で当該支軸に一体装備される複数の支持プレートと、
当該支持プレートの外周上に、当該支軸と平行に、かつ、互いに一定間隔を隔てて配置される複数の扱胴フレームと、
当該各扱胴フレームに外方向に向けて突出するように設けられる複数の扱歯と、を具備するコンバインの扱胴において、
前記支持プレートは、多角形状の外形を有し、
前記各扱胴フレームは、角型断面を有し、
当該各扱胴フレームは、前記支持プレートの多角形の辺に取り付けられ、
当該支持プレートの多角形の辺は、長辺と短辺とが交互に並んだ外形を有している
ことを特徴とするコンバインの扱胴。
【請求項２】
請求項１に記載のコンバインの扱胴において、前記支持プレートの多角形の各辺には、前記各扱胴フレームを取り付けるための取付構造が設けられ、前記支持プレートの多角形の各辺に構成される取付構造のうち、一つ置きに配置されている半数の辺に構成される前記取付構造の前記支軸からの距離は、残りの半数の辺に構成される前記取付構造の前記支軸からの距離とは異なることを特徴とするコンバインの扱胴。
【請求項３】
請求項１または請求項２に記載のコンバインの扱胴において、前記支持プレートの多角形の各辺において、前記各扱胴フレームの取付構造が、前記扱胴の回転方向にずらして複数設けられ、前記扱胴フレームを取り付ける位置が変更可能に構成されることを特徴とするコンバインの扱胴。
【発明の詳細な説明】
【技術分野】
【０００１】
本発明は、コンバインの扱胴に関する。
【背景技術】
【０００２】
従来、回転軸を成す支軸と、当該支軸に中心部を貫通された状態で当該支軸に一体装備される円板形状の支持プレートと、当該支持プレートの外周上に、当該支軸と平行に、かつ、互いに一定間隔を隔てて配置される円形断面を有する複数の扱胴フレームと、当該各扱胴フレームに外方向に向けて突出するように設けられる複数の扱歯と、を具備するコンバインの扱胴が公知となっている。例えば、特許文献１に記載の如くである。このような構成のコンバインの扱胴を前記支軸周りに回転駆動することにより、刈取部から搬送されてくる刈取り後の穀稈に対して、前記複数の扱歯の打撃や梳き込みによる脱穀処理を施すことが可能である。
【０００３】
しかしながら、上記の構成のコンバインの扱胴においては、前記支持プレートが円板形状の部材であったため、当該支持プレートが扱胴の外方向に向けて突出している量（出シロ）が大きく、当該支持プレートの出シロ（出代）の部分が穀稈の流れを阻害する場合があった。また、当該支持プレートの出シロの部分が大きいために、扱胴が重量化しがちであった。さらに、上記の構成のコンバインの扱胴においては、円板形状の前記支持プレートの外周部に、円形断面を有する前記扱胴フレームを取り付けていたため、当該扱胴フレームの前記支持プレートに対して安定的に支持することが困難であった。
【先行技術文献】
【特許文献】
【０００４】
【特許文献１】特許第４４８８４３２号公報
【発明の概要】
【発明が解決しようとする課題】
【０００５】
本発明は、上記を考慮して、支持プレートが穀稈の流れを阻害し難い構成とすることにより、脱穀をより効果的に行えるようにするとともに、扱胴の軽量化を図り、さらには、扱胴フレームを支持プレートに対して安定的に支持できるようにすることを課題とする。
【課題を解決するための手段】
【０００６】
請求項１の発明は、回転軸を成す支軸と、当該支軸に中心部を貫通された状態で当該支軸に一体装備される複数の支持プレートと、当該支持プレートの外周上に、当該支軸と平行に、かつ、互いに一定間隔を隔てて配置される複数の扱胴フレームと、当該各扱胴フレームに外方向に向けて突出するように設けられる複数の扱歯と、を具備するコンバインの扱胴において、前記支持プレートは、多角形状の外形を有し、前記各扱胴フレームは、角型断面を有し、当該各扱胴フレームは、前記支持プレートの多角形の辺に取り付けられ、当該支持プレートの多角形の辺は、長辺と短辺とが交互に並んだ外形を有していることを特徴としている。
【０００７】
請求項２の発明は、請求項１に記載のコンバインの扱胴において、前記支持プレートの多角形の各辺には、前記各扱胴フレームを取り付けるための取付構造が設けられ、前記支持プレートの多角形の各辺に構成される取付構造のうち、一つ置きに配置されている半数の辺に構成される前記取付構造の前記支軸からの距離は、残りの半数の辺に構成される前記取付構造の前記支軸からの距離とは異なることを特徴としている。
【０００８】
請求項３の発明は、請求項１または請求項２に記載のコンバインの扱胴において、前記支持プレートの多角形の各辺において、前記各扱胴フレームの取付構造が、前記扱胴の回転方向にずらして複数設けられ、前記扱胴フレームを取り付ける位置が変更可能に構成されることを特徴としている。
【発明の効果】
【０００９】
請求項１に記載の発明によれば、支持プレートを円板形状の部材により構成した場合と比べて、支持プレートが扱胴の外方向に向けて突出する量（出シロ）が小さくなり、支持プレートが穀稈の流れを阻害し難くなる。また、扱胴の軽量化を図ることができる。
さらに、支持プレートの多角形の各辺毎に、角形断面を有する扱胴フレームを取り付けるので、支持プレートを円板形状の部材により構成した場合と比べて、扱胴フレームの支持プレートに対して安定的に支持することができる。
また、当該支持プレートの多角形の辺は、長辺と短辺とが交互に並んだ外形を有していることにより、長辺と短辺とでは、支持プレート側の取付構造が設けられる位置の支軸からの距離が異なるのである。具体的には、長辺における支軸からの距離は、短辺における支軸からの距離よりも短く構成されるのである。
【００１０】
請求項２に記載の発明によれば、請求項１に記載の発明の効果に加えて、一つ置きに飛び飛びに配置されている半数の辺、または、残りの半数の辺の、いずれかの取付構造に、扱胴フレームを取り付けることにより、扱歯の外方向への突出量を変更することができる。これにより、脱穀対象物の品種及び穀稈の量に応じて、扱歯の外方向への突出量を２種類の突出量のうちのいずれかに調整することができ、脱穀をより効果的に行うことができる。
また、支軸からの距離が異なる隣接した扱胴フレームの取付構造は、支持プレートを円板形状の部材により構成した場合と比べて、視覚的に容易に見分けることができて、組み付けを間違うことがなく確実に行うことができる。
【００１１】
請求項３に記載の発明によれば、請求項１または請求項２に記載の発明の効果に加えて、支持プレートの多角形の各辺において、扱胴フレームの取付位置を、扱胴の回転方向にずらした複数の位置のいずれかに変更することにより、扱歯の取付姿勢を調整することができる。例えば、扱胴の回転方向の上流側または下流側にずらした位置に扱胴フレームを取り付けることにより、扱歯をその先端部が扱胴の回転方向の上流側または下流側に傾斜した姿勢とすることができる。また、これにより、脱穀対象物の品種及び穀稈の量に応じて、扱歯の取付姿勢を適宜に調整することができ、脱穀をより効果的に行うことができる。
【図面の簡単な説明】
【００１２】
【図１】本発明の第一実施形態に係る扱胴を具備したコンバインの全体的な構成を示す側面図である。
【図２】第一実施形態に係る扱胴を具備したコンバインの脱穀部及び選別部の構成を示す側面模式図である。
【図３】第一実施形態に係る扱胴の構成を示す斜視図である。
【図４】第一実施形態に係る扱胴における扱胴フレームの支持プレートへの取付構造を示す正面模式図であり、扱胴フレームを支持プレートの長辺に取り付けたときの状態を示す図である。
【図５】第一実施形態に係る扱胴における扱胴フレームの支持プレートへの取付構造を示す正面模式図であり、扱胴フレームを支持プレートの短辺に取り付けたときの状態を示す図である。
【図６】扱胴フレームの支持プレートへの取付構造を示す側面図である。
【図７】本発明の第二実施形態に係る扱胴における扱胴フレームの支持プレートへの取付構造を示す正面模式図であり、扱歯が直立姿勢となるように、扱胴フレームを支持プレートに取り付けたときの状態を示す図である。
【図８】第二実施形態に係る扱胴における扱胴フレームの支持プレートへの取付構造を示す正面模式図であり、扱歯が後退姿勢となるように、扱胴フレームを支持プレートに取り付けたときの状態を示す図である。
【図９】第二実施形態に係る扱胴における扱胴フレームの支持プレートへの取付構造を示す正面模式図であり、扱歯が前進姿勢となるように、扱胴フレームを支持プレートに取り付けたときの状態を示す図である。
【発明を実施するための形態】
【００１３】
以下、本発明の実施の形態を添付図面に基づいて説明する。
【００１４】
＜第一実施形態＞
以下では、本発明の第一実施形態に係る扱胴５１を具備したコンバイン１の全体的な構成について、図１及び図２を参照して説明する。なお、以下では、図中の矢印Ｆで示す方向すなわちコンバイン１の前進方向を「前方」と定義し、矢印Ｕで示す方向を「上方」と定義し、矢印Ｌで示す方向を「左方」と定義して、説明を行う。
【００１５】
コンバイン１は、稲や麦や蕎麦や小豆や大豆等の種々の収穫物を収穫するための汎用型のコンバインである。コンバイン１は、骨格を成す機体フレーム２に対してエンジンや変速装置等を搭載し、機体フレーム２の下部に走行部３を装備し、機体フレーム２の前部に刈取部４を搭載し、機体フレーム２の左半部に筐体５５に収容した脱穀部５及び選別部６を搭載し、機体フレーム２の右半部に穀粒貯溜部７を搭載し、機体フレーム２の後部に排藁処理部８を搭載し、穀粒貯溜部７の前方箇所に操縦部９を装備して構成されている。なお、コンバイン１の脱穀部５には、本発明の第一実施形態に係る扱胴５１が具備されている。
【００１６】
走行部３は、左右一対のクローラ走行装置３１等により構成される。操縦部９に備えられた操作具の操作に基づいてクローラ走行装置３１が駆動されることで、機体を走行させることができる。
【００１７】
刈取部４は、分草具４１、掻込リール４２、切断装置４３、横送りオーガ４６、及び搬送装置４４等により構成される。機体の走行に伴って、左右両側に装備した分草具４１により未刈取穀稈が収穫対象の穀稈と収穫対象外の穀稈とに分草され、左右の分草具４１の間の上方に装備された掻込リール４２により収穫対象の穀稈が後方に向けて掻き込まれ、掻込リール４２の下方に装備された切断装置４３により掻き込まれた穀稈の株元側が刈取られ、切断装置４３の後方に装備された横送りオーガ４６により機体の左寄り中央に刈取り後の穀稈が寄せられ、横送りオーガ４６の後方に装備された搬送装置４４により刈取り後の穀稈が脱穀部５に向けて搬送される。機体フレーム２と搬送装置４４との間には油圧シリンダが架設されており、当該油圧シリンダを伸縮作動することで、未刈取穀稈に対する切断装置４３の高さ位置を調整することができる。
【００１８】
図２に示す脱穀部５は、扱胴５１及び受網５２等により構成される。脱穀部５は、機体フレーム２の左半部に搭載された直方体形状の筐体５５内の上部に設けられる。
【００１９】
扱胴５１は、回転軸を成す支軸５１０（図２及び図３参照）周りに回転駆動されることにより、刈取部４から搬送されてくる刈取り後の穀稈を脱穀するものである。扱胴５１の支軸５１０は、筐体５５の前壁と後壁とにわたって回転可能に架設されて、前後向きの姿勢で配置される。扱胴５１がエンジンからの動力により支軸５１０を回転軸にして回転駆動されることで、筐体５５の上部の扱室５６内に供給された穀稈に対して脱穀処理が施され、脱穀化が促されると同時に、その処理物（穀稈や排藁）が後方の排藁処理部８に向けて搬送される。
【００２０】
なお、扱胴５１の上方には、角度調節自在の送塵弁５７・５７・・・が備えられる。送塵弁５７・５７・・・の角度を適宜に調節することによって、穀稈の扱室５６への滞留時間を作物の条件に応じて調節することができる。
【００２１】
受網５２は、扱胴５１の下方に、当該扱胴５１の下部側を下方から覆うように正面視Ｕ字状に配置される。筐体５５内の上部の扱室５６に供給された穀稈が、扱胴５１の回転駆動及び受網５２による補助作用により脱穀処理され、脱穀処理で得られた穀粒が、受網５２より下方に配置される選別部６に向けて漏下される一方で、排藁の選別部６への漏下が受網５２により防止される。なお、受網５２はコーンケーブで構成することも可能である。
【００２２】
図２に示す選別部６は、揺動選別装置６１、風選別装置６２、一番搬送装置６３、及び二番搬送装置６４等により構成される。選別部６は、筐体５５内の下部に設けられて、脱穀部５の下方に配置される。揺動選別装置６１により受網５２から漏下してくる脱穀物が穀粒と藁屑等とに揺動選別されて、風選別装置６２により揺動選別後のものがさらに穀粒と藁屑等とに風選別されて、一番搬送装置６３により選別後の穀粒（一番物）が穀粒貯溜部７に向けて搬送される。
【００２３】
選別部６についてより具体的に説明すると、揺動選別装置６１は、脱穀物の搬送方向の上流から下流に向かって順に、第一チャフシーブ６１１及び第二チャフシーブ６１２を備えて構成される。揺動する第一チャフシーブ６１１及び第二チャフシーブ６１２により、脱穀物が穀粒と藁屑等とに粗選別される。
【００２４】
風選別装置６２は、第一チャフシーブ６１１の前下方に配置される唐箕等により構成される。風選別装置６２により、第一チャフシーブ６１１及び第二チャフシーブ６１２から漏下してくる揺動選別後のものに選別風が当てられる。そして、この選別風と揺動選別とにより、脱穀物が、穀粒（一番物）と、枝梗付着粒や未熟粒等の二番物と、藁屑等と、に選別され、一番物は一番搬送装置６３へ、二番物は二番搬送装置６４へと落下し、藁屑等は後方から排出される。なお、一番搬送装置６３及び二番搬送装置６４は、筐体５５の左壁と右壁とにわたって架設されたコンベア等により構成され、第一チャフシーブ６１１及び第二チャフシーブ６１２の下方に配置される。
【００２５】
そして、一番搬送装置６３に集められた一番物は、筐体５５の右側方に装備された揚穀筒６６を通って、後述のグレンタンク７１に搬送される。また、二番搬送装置６４に集められた二番物は、筐体５５の右側方に装備された還元筒６７を通って、脱穀部５に還元される。
【００２６】
図１に示す穀粒貯溜部７は、グレンタンク７１及び排出オーガ７２等により構成される。一番搬送装置６３から揚穀筒６６を通って穀粒貯溜部７に搬送されてくる穀粒は、グレンタンク７１内に貯溜される。当該グレンタンク７１内の穀粒は、必要に応じて、排出オーガ７２を介して機体の外部に排出される。
【００２７】
排藁処理部８は、排藁排出装置等により構成される。当該排藁排出装置により、脱穀部５からの脱穀後の排藁が機体の外部に排出されるとともに、選別部６からの藁屑等が機体の外部に排出される。
【００２８】
操縦部９は、操縦席及び各種の操作具等により構成される。オペレータが操縦席に着座して、操縦席の近傍に設けられた各種の操作具を操作することにより、機体に搭載された各部の装置が人為操作される。
【００２９】
このように、本実施形態のコンバイン１は、操縦部９におけるオペレータの操作に応じて、エンジンの動力を各部の装置に供給して、走行部３にて機体を走行させながら、刈取部４にて圃場の穀稈を刈取り、脱穀部５にて刈取部４からの穀稈を脱穀し、選別部６にて脱穀部５からの脱穀物を選別することができるように構成されている。
【００３０】
以下では、扱胴５１の構成について、図２及び図３を参照して詳細に説明する。
【００３１】
扱胴５１は、その前端部に装備した円錐台状の掻込部５２０と、当該掻込部５２０の後端に連接して設けられる扱き処理部５３０と、を具備して構成される。
【００３２】
掻込部５２０の外周面には、搬送装置４４から筐体５５内に供給された穀稈を扱胴５１の回転駆動に伴って後方の扱き処理部５３０に向けて掻込み搬送するための２枚の螺旋羽根５２１・５２１が、一体装備されている。
【００３３】
扱き処理部５３０は、籠状に構成される。具体的には、本実施形態の扱き処理部５３０は、前支持プレート（不図示）、支持プレート５３２・５３３、後支持プレート５３４、複数の扱胴フレーム５３５・５３５・・・、及び複数の扱歯５３６・５３６・・・等により構成される。
【００３４】
前記前支持プレートは、円板形状の部材であり、その中心部を支軸５１０の前部に貫通された状態で、当該支軸５１０の前部に一体装備される。前記前支持プレートは、掻込部５２０の円錐台状の部分の底面（後端面）と略同形状を有し、当該底面に一体的に固定される。
【００３５】
図３に示す支持プレート５３２・５３３は、多角形状（本実施形態では十二角形状）の外形を有する部材であり、その中心部を支軸５１０に貫通された状態で、支軸５１０の前後中間部に互いに間隔を隔てて、当該支軸５１０に一体装備される。なお、本実施形態においては２枚の支持プレート５３２・５３３を設ける構成としているが、本発明はこれに限定するものではなく、支持プレートの数を三枚以上に増やして、扱胴５１の剛性を高めることも可能である。また、本実施形態の支持プレート５３２の外形は十二角形状であるものとしたが、本発明はこれに限定するものではなく、例えばこれに代えて、支持プレートの外形を八角形状とし、その外周上に４５度間隔で扱胴フレームを配置する構成としてもよい。
【００３６】
図３に示す後支持プレート５３４は、円板形状の部材であり、その中心部に支軸５１０の後端部が固定された状態で、支軸５１０に一体装備される。ただし、後支持プレートの外形形状は支持プレート５３２・５３３に合わせた多角形状としてもよい。
【００３７】
図３に示す扱胴フレーム５３５・５３５・・・は、断面が角型（本実施形態では断面視四角形状）の長い筒状の部材であり、本実施形態の扱胴５１においては６本設けられている。扱胴フレーム５３５は、前記前支持プレート、支持プレート５３２・５３３、及び後支持プレート５３４によって、前後向きの姿勢に支持されて、支持プレート５３２・５３３の外周上に、支軸５１０と平行に、かつ、互いに一定間隔を隔てて配置される。
【００３８】
より具体的には、扱胴フレーム５３５・５３５・・・の前端は、ステー（不図示）を介して、前記前支持プレートの外周部に６０度間隔で並ぶように固定される。また、扱胴フレーム５３５・５３５・・・の後端は、ステー５３７・５３７・・・を介して、後支持プレート５３４の外周部に６０度間隔で並ぶように固定される。さらに、各扱胴フレーム５３５の前後中途部は、ステー５３８・５３８・・・及びステー５３９・５３９・・・を介して、支持プレート５３２及び支持プレート５３３にそれぞれ取り付けられる。この取り付けの際、扱胴フレーム５３５の支軸５１０側の辺は、支持プレート５３２・５３３の外周の辺に当接するように、ステー５３８・５３９を介して固定される。そして、各扱胴フレーム５３５は、支持プレート５３２・５３３の十二角形の辺に一つ置きに取り付けられるが、その詳細な構成については後に詳述する。なお、扱胴フレーム５３５・５３５・・・の形状は、筒状のものに限定するものではなく、これに代えて角棒状のものとしてもよい。
【００３９】
扱歯５３６・５３６・・・は、概ね円柱形状の部材であり、各扱胴フレーム５３５に複数個ずつ設けられる。扱歯５３６・５３６・・・は、各扱胴フレーム５３５に、その一端が扱胴５１の外方に向けて突出する姿勢で、互いに前後方向に所定間隔を隔てて並ぶように装備される。また、各扱歯５３６は、扱胴フレーム５３５から突出する部分の長さが略均一となるように装備される。
【００４０】
以下では、扱胴フレーム５３５・５３５・・・の支持プレート５３２・５３３への取付構造について、図４〜図６を参照して詳細に説明する。なお、扱胴フレーム５３５・５３５・・・の支持プレート５３２への取付構造は、扱胴フレーム５３５・５３５・・・の支持プレート５３３への取付構造と略同様であるので（図３参照）、以下では、扱胴フレーム５３５・５３５・・・の支持プレート５３３への取付構造についてのみ説明する。
【００４１】
前述したように、各扱胴フレーム５３５の前後中途部は、ステー５３９を介して、支持プレート５３３の十二角形の辺に一つ置きに取り付けられる。詳細には、本実施形態の支持プレート５３３は、長辺５３３Ｌと短辺５３３Ｓとが交互に並んだ外形を有しており、長辺５３３Ｌ・５３３Ｌ・・・または短辺５３３Ｓ・５３３Ｓ・・・のどちらかに扱胴フレーム５３５・５３５・・・を取り付けて使用できるようになっている（図４及び図５参照）。
【００４２】
そして、支持プレート５３３の全ての辺（長辺５３３Ｌ及び短辺５３３Ｓ）には、扱胴フレーム５３５を取り付けるための取付構造（以下、「支持プレート側の取付構造」と称する。）として、貫通孔５３３ａ・５３３ｂが設けられている。支持プレート５３３の全ての辺における、辺５３３Ｌ（５３３Ｓ）から支持プレート側の取付構造（貫通孔５３３ａ・５３３ｂ）までの距離は、等しくなるように設定されている。このような構成により、支持プレート５３３の長辺５３３Ｌと短辺５３３Ｓとでは、支持プレート側の取付構造が設けられる位置の支軸５１０からの距離が異なっている。具体的には、長辺５３３Ｌにおける貫通孔５３３ａ・５３３ｂの支軸５１０からの距離は、短辺５３３Ｓにおける貫通孔５３３ａ・５３３ｂの支軸５１０からの距離よりも短く構成されている。
【００４３】
このような構成により、扱胴フレーム５３５・５３５・・・を支持プレート５３３の長辺５３３Ｌ・５３３Ｌ・・・に取り付けた場合（詳しくは、長辺５３３Ｌ近傍に構成した支持プレート側の取付構造に取り付けた場合）と、扱胴フレーム５３５・５３５・・・を支持プレート５３３の短辺５３３Ｓ・５３３Ｓ・・・に取り付けた場合（詳しくは、短辺５３３Ｓ近傍に構成した支持プレート側の取付構造に取り付けた場合）と、で、扱歯５３６・５３６・・・の外方向への突出量が変更されるようになっている。換言すれば、一つ置きに飛び飛びに配置されている半数の辺（長辺５３３Ｌ・５３３Ｌ・・・）、または、残りの半数の辺（短辺５３３Ｓ・５３３Ｓ・・・）に構成される、いずれかの取付構造に、扱胴フレーム５３５・５３５・・・を取り付けることにより、扱歯５３６・５３６・・・の外方向への突出量を変更することができるのである。
【００４４】
なお、本実施形態では、支持プレート５３３の全ての辺における、辺５３３Ｌ（５３３Ｓ）から支持プレート側の取付構造（貫通孔５３３ａ・５３３ｂ）までの距離を等しくするとともに、隣り合う辺における支持プレート側の取付構造が設けられる位置の支軸５１０からの距離を異ならしめるべく、支持プレート５３３の外周の辺を、長辺５３３Ｌと短辺５３３Ｓとが交互に配置される構成としているが、本発明はこれに限定するものではない。例えば、この構成に代えて、支持プレートの外形形状を正十二角形として、隣り合う辺における、辺から支持プレート側の取付構造（貫通孔）までの距離を異ならしめることにより、隣り合う辺における支持プレート側の取付構造が設けられる位置の支軸５１０からの距離が異なる構成としてもよい。
【００４５】
なお、図４に示した状態は、扱胴フレーム５３５・５３５・・・を支持プレート５３３の長辺５３３Ｌ・５３３Ｌ・・・に取り付けて、扱歯５３６の外方向への突出量を小さくした状態である。一方、図５に示した状態は、扱胴フレーム５３５・５３５・・・を支持プレート５３３の短辺５３３Ｓ・５３３Ｓ・・・に取り付けて、扱歯５３６の外方向への突出量を大きくした状態である。このように、扱歯５３６の外方向への突出量を２種類の突出量のうちのいずれかに調整することにより、扱歯５３６と受網５２との間の距離を変更することができる。したがって、例えば、脱穀対象物の品種及び穀稈の量に応じて、２種類の突出量を使い分けることができ、これにより扱歯５３６による打撃や梳き込みの作用を状況に応じてより適切に発揮させることができる。
【００４６】
なお、図４及び図５に符号Ａで示した一点鎖線は、扱胴フレーム５３５・５３５・・・を支持プレート５３３の長辺５３３Ｌに取り付けた場合における、扱歯５３６の先端部の回転軌跡である。一方、図５に符号Ｂで示した一点鎖線は、扱胴フレーム５３５・５３５・・・を支持プレート５３３の短辺５３３Ｓに取り付けた場合における、扱歯５３６の先端部の回転軌跡である。図５に示した扱歯５３６の回転軌跡から明らかなように、扱胴フレーム５３５・５３５・・・を支持プレート５３３の長辺５３３Ｌに取り付けた場合、短辺５３３Ｓに取り付けた場合よりも、扱歯５３６が扱胴５１の内側寄りに配置される。
【００４７】
以下では、支持プレート５３３の十二角形の各辺に設けられている、支持プレート側の取付構造について、図４及び図５を参照してより詳細に説明する。本実施形態においては、支持プレート５３３の十二角形の各辺に設けられている支持プレート側の取付構造の構成は、概ね同様であるので、そのうちの一つの辺に設けられている取付構造について説明する。ただし、前述したように、長辺５３３Ｌにおける支持プレート側の取付構造の支軸５１０からの距離は、短辺５３３Ｓにおける支持プレート側の取付構造の支軸５１０からの距離よりも短く構成されている。なお、以下の説明においては、扱胴５１の半径方向を上下方向とし、当該扱胴５１の外側を上方、当該扱胴５１の中心側を下方、当該扱胴５１の接線方向を左右方向として、説明を行う。
【００４８】
本実施形態の支持プレート側の取付構造は、支持プレート５３３を貫通する二つの貫通孔５３３ａ・５３３ｂにより構成されている。二つの貫通孔５３３ａ・５３３ｂは、正面視において、支持プレート５３３の各辺の中点と、支軸５１０の中心軸と、を結ぶ直線を挟んで線対称となるように、形成されている。
【００４９】
以下では、各扱胴フレーム５３５に設けられている扱胴フレーム側の取付構造について、図４〜図６を参照して説明する。本実施形態においては、各扱胴フレーム５３５に設けられている扱胴フレーム側の取付構造の構成は、すべて同様であるので、そのうちの一つの扱胴フレーム５３５に設けられている取付構造について説明する。
【００５０】
本実施形態の扱胴フレーム側の取付構造は、板材をＬ字状に折り曲げて形成されたステー５３９により構成されている。図６に示すように、ステー５３９は、第一面５３９Ｆと、当該第一面５３９Ｆに対して垂直な第二面５３９Ｇと、を有する。ステー５３９の第一面５３９Ｆの上面（外側に向けられた面）には、扱胴フレーム５３５の下面が溶接等の方法により固定される。ステー５３９の第二面５３９Ｇには、二つの貫通孔（不図示）が形成される。当該二つの貫通孔は、支持プレート５３３に形成された二つの貫通孔５３３ａ・５３３ｂに対応するように設けられる。
【００５１】
前述した支持プレート側の取付構造である貫通孔５３３ａ・５３３ｂと、扱胴フレーム側の取付構造であるステー５３９と、を用いて、扱胴フレーム５３５が支持プレート５３３に取り付けられる。具体的には、支持プレート５３３の貫通孔５３３ａ・５３３ｂと、ステー５３９の前記二つの貫通孔と、が正面視で一致した状態となるように、ステー５３９の第二面５３９Ｇの後面（外側に向けられた面）が支持プレート５３３に前方から重ね合わされて、支持プレート５３３の後方から貫通孔５３３ａ・５３３ｂにボルト５４１・５４１がそれぞれ貫装され、当該ボルト５４１・５４１のステー５３９の第二面５３９Ｇから突出した部分にナット５４２・５４２が螺装される。こうして、ステー５３９が支持プレート５３３に対して固定されることにより、扱胴フレーム５３５が支持プレート５３３に取り付けられる。
【００５２】
こうして、支持プレート側の取付構造である貫通孔５３３ａ・５３３ｂと、扱胴フレーム側の取付構造であるステー５３９と、を用いて、支持プレート５３３の多角形の各辺に、角形断面を有する扱胴フレーム５３５を取り付けることができるので、扱胴フレーム５３５を支持プレート５３３に対して安定的に、座りがよい状態で、取り付けることができる。
【００５３】
また、この際、支持プレート５３３を十二角形状の外形の部材とし、当該支持プレート５３３の十二角形の各辺に扱胴フレーム５３５を取り付けるための支持プレート側の取付構造を構成しているので、支持プレートの外形をこの十二角形の頂点を通る円形状に構成した場合と比べて、支持プレート５３３が扱胴５１の外方向に向けて突出する量（出シロ）が小さくなる。したがって、支持プレート５３３の出シロによって穀稈の流れが阻害されるおそれが軽減される。また、このように、支持プレート５３３の出シロを極力小さくすることができるので、支持プレート５３３の軽量化を図ることができ、ひいては扱胴５１を軽量化することができる。
【００５４】
さらに、本実施形態の支持プレート５３３では、全ての辺における辺５３３Ｌ（５３３Ｓ）から支持プレート側の取付構造（貫通孔５３３ａ・５３３ｂ）までの距離が等しくなるように構成されている。したがって、図４〜図６に示すように、支持プレート５３３の長辺５３３Ｌ（または短辺５３３Ｓ）と、ステー５３９の第一面５３９Ｆの上面と、が正面視において重複した状態に配置することができる。この状態においては、扱胴フレーム５３５の下面を支持プレート５３３の長辺５３３Ｌ（または短辺５３３Ｓ）に当接させた状態で取り付けることができ、当該扱胴フレーム５３５を高い強度で支持プレート５３３に取り付けることができる。
【００５５】
以上で説明したように、本実施形態に係るコンバイン１の扱胴５１は、回転軸を成す支軸５１０と、当該支軸５１０に中心部を貫通された状態で当該支軸５１０に一体装備される複数の支持プレート５３２・５３３と、当該支持プレート５３２・５３３の外周上に、当該支軸５１０と平行に、かつ、互いに一定間隔を隔てて配置される複数の扱胴フレーム５３５・５３５・・・と、当該各扱胴フレーム５３５・５３５・・・に外方向に向けて突出するように設けられる複数の扱歯５３６・５３６・・・と、を具備するコンバインの扱胴において、支持プレート５３２・５３３は、多角形状の外形を有し、各扱胴フレーム５３５は、角型断面を有し、各扱胴フレーム５３５は、支持プレート５３２・５３３の多角形の辺に取り付けられたものである。
【００５６】
したがって、支持プレートを円板形状の部材により構成した場合と比べて、支持プレート５３２・５３３が扱胴５１の外方向に向けて突出する量（出シロ）が小さくなり、支持プレート５３２・５３３が穀稈の流れを阻害し難くなる。また、扱胴５１の軽量化を図ることができる。さらに、支持プレート５３２・５３３の多角形の各辺毎に、角形断面を有する扱胴フレーム５３５を取り付けるので、支持プレート５３２・５３３を円板形状の部材により構成した場合と比べて、扱胴フレーム５３５の支持プレート５３２・５３３に対して安定的に支持することができる。
【００５７】
また、本実施形態に係るコンバイン１の扱胴５１は、支持プレート５３２・５３３の多角形の各辺には、各扱胴フレーム５３５を取り付けるための支持プレート側の取付構造（二つの貫通孔５３３ａ・５３３ｂ）が設けられ、支持プレート５３２・５３３の多角形の各辺に構成される支持プレート側の取付構造のうち、一つ置きに配置されている半数の辺に構成される二つの貫通孔５３３ａ・５３３ｂの支軸５１０からの距離は、残りの半数の辺に構成される二つの貫通孔５３３ａ・５３３ｂの支軸５１０からの距離とは異なるものである。
【００５８】
したがって、一つ置きに飛び飛びに配置されている半数の辺（長辺５３３Ｌ・５３３Ｌ・・・）、または、残りの半数の辺（短辺５３３Ｓ・５３３Ｓ・・・）の、いずれかの取付構造（貫通孔５３３ａ・５３３ｂ）に、扱胴フレーム５３５・５３５・・・を取り付けることにより、扱歯５３６・５３６・・・の外方向への突出量を変更することができる。これにより、脱穀対象物の品種及び穀稈の量に応じて、扱歯５３６の外方向への突出量を２種類の突出量のうちのいずれかに調整することができ、脱穀をより効果的に行うことができる。また、支軸５１０からの距離が異なる隣接した扱胴フレーム５３５の取付構造（支持プレート側の取付構造）は、支持プレート５３２・５３３を円板形状の部材により構成した場合と比べて、視覚的に容易に見分けることができて、組み付けを間違うことがなく確実に行うことができる。
【００５９】
＜第二実施形態＞
以下では、本発明の第二実施形態に係る扱胴１５１について、図７〜図９を参照して説明する。第二実施形態に係る扱胴１５１は、支持プレート５３２・５３３に設けられている支持プレート側の取付構造が、第一実施形態に係る扱胴５１のものとは異なっている。以下では、扱胴５１と同様の部分については同一の符号を付し、詳細な説明を省略する。
【００６０】
なお、扱胴フレーム５３５・５３５・・・の支持プレート５３２への取付構造は、扱胴フレーム５３５・５３５・・・の支持プレート５３３への取付構造と略同様であるので（図３参照）、以下では、扱胴フレーム５３５・５３５・・・の支持プレート５３３への取付構造についてのみ説明する。
【００６１】
各扱胴フレーム５３５の前後中途部は、ステー５３９を介して、支持プレート５３３の十二角形の辺に一つ置きに取り付けられる。詳細には、支持プレート５３３は、長辺５３３Ｌと短辺５３３Ｓとが交互に並んだ外形を有しており、長辺５３３Ｌ・５３３Ｌ・・・または短辺５３３Ｓ・５３３Ｓ・・・のどちらかに扱胴フレーム５３５・５３５・・・を取り付けて使用できるようになっている。
【００６２】
さらに、支持プレート５３３の十二角形の各長辺５３３Ｌにおいては、扱胴５１の回転方向にずらして複数の支持プレート側の取付構造が構成され、そのいずれかに、扱胴フレーム５３５を取り付けることが可能に構成されている。具体的には、第一実施形態における支持プレート側の取付構造は二つの貫通孔５３３ａ・５３３ｂにより構成されていたが、第二実施形態における支持プレート側の取付構造は、これに代えて、四つの貫通孔５３３ｄ・５３３ａ・５３３ｂ・５３３ｃにより構成されている。四つの貫通孔５３３ｄ・５３３ａ・５３３ｂ・５３３ｃは、いずれも、支持プレート５３３を貫通するように設けられており、その貫通孔５３３ｄ・５３３ａ・５３３ｂ・５３３ｃの間隔は同じ長さとなるように配置されている。
【００６３】
このような構成により、扱胴フレーム５３５・５３５・・・を支持プレート５３３に対して図７〜図９のいずれかの状態に取り付けることが可能である。
【００６４】
すなわち、図７に示すように、支持プレート５３３の左右中央の二つの貫通孔５３３ａ・５３３ｂにボルト５４１・５４１を貫装してステー５３９を取り付けた場合、当該ステー５３９を介して取り付けられた扱胴フレーム５３５上の扱歯５３６・５３６・・・は、扱胴５１の回転方向に対して直立した姿勢となる。
【００６５】
一方、図８に示すように、支持プレート５３３の回転方向下流側の二つの貫通孔５３３ｂ・５３３ｃにボルト５４１・５４１を貫装してステー５３９を取り付けた場合、当該ステー５３９を介して取り付けられた扱胴フレーム５３５上の扱歯５３６・５３６・・・は、扱胴５１の回転方向に対して後退した姿勢となる。換言すれば、扱胴フレーム５３５・５３５・・・を支持プレート５３３に対して図８に示す状態に取り付けた場合、扱歯５３６・５３６・・・の姿勢は、その先端側が扱胴５１の回転方向の上流側に傾斜した状態となる。
【００６６】
一方、図９に示すように、支持プレート５３３の回転方向上流側の二つの貫通孔５３３ｄ・５３３ａにボルト５４１・５４１を貫装してステー５３９を取り付けた場合、当該ステー５３９を介して取り付けられた扱胴フレーム５３５上の扱歯５３６・５３６・・・は、扱胴５１の回転方向に対して前進した姿勢となる。換言すれば、扱胴フレーム５３５・５３５・・・を支持プレート５３３に対して図９に示す状態に取り付けた場合、扱歯５３６・５３６・・・の姿勢は、その先端側が扱胴５１の回転方向の下流側に傾斜した状態となる。
【００６７】
このように、扱歯５３６の取付姿勢を３種類の取付姿勢のうちのいずれかとすることにより、扱歯５３６の受網５２に対する配置状態を変更することができる。したがって、例えば、脱穀対象物の品種及び穀稈の量に応じて、３種類の取付姿勢を使い分けることができ、これにより扱歯５３６による打撃や梳き込みの作用を状況に応じてより適切に発揮させることができる。
【００６８】
以上で説明したように、本実施形態に係るコンバイン１の扱胴１５１は、支持プレート５３２・５３３の多角形の各辺において、各扱胴フレーム５３５の取付構造（支持プレート側の取付構造）が、扱胴１５１の回転方向にずらして複数設けられ（四つの貫通孔５３３ｄ・５３３ａ・５３３ｂ・５３３ｃが設けられ）、扱胴フレーム５３５・５３５・・・を取り付ける位置が変更可能に構成されたものである。
【００６９】
したがって、支持プレート５３２・５３３の多角形の各辺において、扱胴フレーム５３５の取付位置を、扱胴１５１の回転方向にずらした複数の位置のいずれかに変更することにより、扱歯５３６・５３６・・・の取付姿勢を調整することができる。例えば、扱胴１５１の回転方向の上流側または下流側にずらした位置（図８または図９に示す位置）に扱胴フレーム５３５・５３５・・・を取り付けることにより、扱歯５３６をその先端部が扱胴１５１の回転方向の上流側または下流側に傾斜した姿勢とすることができる。また、これにより、脱穀対象物の品種及び穀稈の量に応じて、扱歯５３６の取付姿勢を適宜に調整することができ、脱穀をより効果的に行うことができる。
【符号の説明】
【００７０】
１        コンバイン
５１      扱胴
５１０    支軸
５３２    支持プレート
５３３    支持プレート
５３５    扱胴フレーム
５３６    扱歯
【図１】
0005797952.tif 000002
【図２】
0005797952.tif 000003
【図３】
0005797952.tif 000004
【図４】
0005797952.tif 000005
【図５】
0005797952.tif 000006
【図６】
0005797952.tif 000007
【図７】
0005797952.tif 000008
【図８】
0005797952.tif 000009
【図９】
0005797952.tif 000010